(57)【要約】【課題】  回動自在な手提げ用ハンドルが、記録装置にセットされた用紙や、記録装置の構成要素そのものと干渉することによって発生する不具合を未然に防止することのできる記録装置を提供する。【解決手段】  プリンタ１００は、手提げ用のハンドル１００を備えている。ハンドル１００は、プリンタ１００の上部と後部とを往復可能なようにプリンタ１００を側視して回動自在に、且つその回動範囲の中における第１の姿勢で停止可能に設けられている。この第１の姿勢は、把持部３７が給送装置１にセットされた最上位の記録用紙と接しないよう把持部３７がペーパーサポート６９に対して所定間隔を空けて上方に位置する姿勢であり、これにより把持部３７が記録用紙と接触することによる給紙不良（不送り）を防止できる。【選択図】図４
2006240081.tif 000002
【特許請求の範囲】
【請求項１】
積重された複数枚の被記録媒体を傾斜姿勢に支持する支持部材を備えるとともに最上位の被記録媒体から一枚ずつ給送する被記録媒体給送手段と、
前記被記録媒体給送手段から給送された被記録媒体に記録を行う記録手段と、を備えた記録装置であって、
把持部及び当該把持部から前記記録装置の本体に延びる腕部を備えて構成された手提げ用ハンドルが、前記把持部が前記記録装置の上部と後部とを往復可能なように前記記録装置を側視して回動自在に、且つその回動範囲の中における第１の姿勢で停止可能に設けられており、
前記被記録媒体給送手段が、前記記録装置の後部であって且つ傾斜姿勢に支持された最上位の被記録媒体に前記把持部が上方から当接し得る位置に設けられており、
前記手提げ用ハンドルの前記第１の姿勢が、前記把持部が前記被記録媒体給送手段に支持された最上位の被記録媒体と接しないよう前記把持部が前記支持部材に対して所定間隔を空けて上方に位置する姿勢である、
ことを特徴とする手提げ用ハンドルを備えた記録装置。
【請求項２】
請求項１において、前記被記録媒体給送手段が、前記記録装置の本体に対し、回動支点を中心にして前記記録装置を側視して回動可能に設けられることで、前記記録装置に収納された収納状態と、前記記録装置の後方に突出して被記録媒体を傾斜姿勢に支持し得る使用状態と、を切り換え可能となっている、
ことを特徴とする手提げ用ハンドルを備えた記録装置。
【請求項３】
請求項１または２において、前記手提げ用ハンドルは、その回動範囲の中において更に第２の姿勢で停止可能に設けられており、
前記記録装置の背面下部には、インクカートリッジ挿脱用の開口部を覆うカバー体が、前記記録装置を側視して回動自在に取り付けられており、
前記手提げ用ハンドルの前記第２の姿勢が、前記把持部が前記カバー体の回動領域の上方に位置する姿勢である、
ことを特徴とする手提げ用ハンドルを備えた記録装置。
【請求項４】
被記録媒体に記録を行う記録手段を備えた記録装置であって、
把持部及び当該把持部から前記記録装置の本体に延びる腕部を備えて構成された手提げ用ハンドルが、前記把持部が前記記録装置の上部と後部とを往復可能なように前記記録装置を側視して回動自在に、且つその回動範囲の中における第２の姿勢で停止可能に設けられており、
前記記録装置の背面下部に、インクカートリッジ挿脱用の開口部を覆うカバー体が、前記記録装置を側視して回動自在に取り付けられており、
前記手提げ用ハンドルの前記第２の姿勢が、前記把持部が前記カバー体の回動領域の上方に位置する姿勢である、
ことを特徴とする手提げ用ハンドルを備えた記録装置。
【請求項５】
請求項１から４のいずれか１項において、前記記録装置の上面の一部を構成するとともに前記記録装置の各種情報を表示する表示部が、前記記録装置を側視して回動自在に設けられており、
前記腕部が、前記把持部が前記表示部の回動領域の外側を回動する長さに形成されている、
ことを特徴とする手提げ用ハンドルを備えた記録装置。
【請求項６】
請求項１から５のいずれか１項において、前記手提げ用ハンドルが、前記腕部が前記記録装置の本体から上方にほぼ垂直に延びる立位姿勢で保持可能に設けられている、
ことを特徴とする手提げ用ハンドルを備えた記録装置。
【請求項７】
請求項１から６のいずれか１項において、前記手提げ用ハンドルが、把持部が前記記録装置の背面下部と対向する位置まで回動可能に設けられている、
ことを特徴とする手提げ用ハンドルを備えた記録装置。
【発明の詳細な説明】
【技術分野】
【０００１】
本発明は、ファクシミリやプリンタ等に代表される記録装置に関し、特に手提げ用ハンドルを備えた記録装置に関する。
【背景技術】
【０００２】
近年、ホームＤＰＥと称してデジタルスチルカメラと記録装置の一例としてのインクジェットプリンタとを用い、デジタル画像を家庭で容易に銀塩写真並に高画質プリントすることが可能となっている。この様な状況のもと、どの様な場所においても高画質プリントを実行可能とする為に、インクジェットプリンタには容易に持ち運び可能であることが要求される場合がある。この様なユーザーニーズに応える為には、運搬の容易性を考慮して、プリンタ本体の小型化が望まれるとともに、特許文献１に示すような手提げ用ハンドルを設けることが好ましい。
【０００３】
【特許文献１】特開２００４−８２４５５号公報
【発明の開示】
【発明が解決しようとする課題】
【０００４】
ところで、インクジェットプリンタには、被記録媒体の一例としての用紙を傾斜姿勢に支持する被記録媒体給送装置（所謂オートシートフィーダ）が設けられていて、この被記録媒体給送装置にセットされた用紙は、プリンタ本体の後方に傾斜姿勢で突出した状態となる。一方、手提げ用ハンドルをプリンタ本体に対して回動自在に設けた場合に、例えば当該ハンドルが斜め上方を向いた姿勢で手を離すと、当該ハンドルが自重で回動する（下方に落下する）場合があり、その結果セットされた最上位の用紙の上にハンドルが載置された状態となってしまう虞がある。そしてこの状態で給紙動作が実行されると、最上位の用紙は手提げ用ハンドルとの間の摩擦力によって負荷を受ける為、給紙不良（不送り）が発生することになる。
【０００５】
また、その他にもインクジェットプリンタには種々の回動体（例えば、インクカートリッジを挿脱する為の開口部を覆う蓋体等）が設けられており、その様な回動体の回動領域と上記ハンドルの回動領域とが干渉すると、一方の回動動作が他方の存在によって阻害されてしまうことになる。  
そこで本発明はこの様な問題に鑑みなされたものであり、その目的は、回動自在な手提げ用ハンドルが、記録装置にセットされた用紙や、記録装置の構成要素そのものと干渉することによって発生する不具合を未然に防止することのできる記録装置を提供することにある。
【課題を解決するための手段】
【０００６】
上記課題を解決するために、本発明の第１の態様は、積重された複数枚の被記録媒体を傾斜姿勢に支持する支持部材を備えるとともに最上位の被記録媒体から一枚ずつ給送する被記録媒体給送手段と、前記被記録媒体給送手段から給送された被記録媒体に記録を行う記録手段と、を備えた記録装置であって、把持部及び当該把持部から前記記録装置の本体に延びる腕部を備えて構成された手提げ用ハンドルが、前記把持部が前記記録装置の上部と後部とを往復可能なように前記記録装置を側視して回動自在に、且つその回動範囲の中における第１の姿勢で停止可能に設けられており、前記被記録媒体給送手段が、前記記録装置の後部であって且つ傾斜姿勢に支持された最上位の被記録媒体に前記把持部が上方から当接し得る位置に設けられており、前記手提げ用ハンドルの前記第１の姿勢が、前記把持部が前記被記録媒体給送手段に支持された最上位の被記録媒体と接しないよう前記把持部が前記支持部材に対して所定間隔を空けて上方に位置する姿勢であることを特徴とする。
【０００７】
上記態様によれば、記録装置に回動自在に設けられる手提げ用ハンドルは、その回動範囲の中における第１の姿勢で停止可能に設けられており、その第１の姿勢が、ハンドルの把持部が被記録媒体給送手段に支持された最上位の被記録媒体と接しないよう前記把持部が被記録媒体を傾斜姿勢に支持する支持部材に対して所定間隔を空けて上方に位置する姿勢であることから、手提げ用ハンドルがその自重によって回動した場合でも、把持部が被記録媒体給送手段に支持された最上位の被記録媒体と接する前に停止する。即ち、回動自在な手提げ用ハンドルが、傾斜姿勢に支持された被記録媒体と接触することを未然に防止することができ、これによって手提げ用ハンドルと被記録媒体とが接触することによって生じる給送不良（不送り）を防止することができる。
【０００８】
本発明の第２の態様は、上記第１の態様において、前記被記録媒体給送手段が、前記記録装置の本体に対し、回動支点を中心にして前記記録装置を側視して回動可能に設けられることで、前記記録装置に収納された収納状態と、前記記録装置の後方に突出して被記録媒体を傾斜姿勢に支持し得る使用状態と、を切り換え可能となっていることを特徴とする。  
上記態様によれば、前記被記録媒体給送手段が、回動することで記録装置に収納された収納状態と、記録装置の後方に突出する使用状態とを切り換え可能となっているので、収納状態をとる際には記録装置のコンパクト化と外観の向上化とに寄与することができる。
【０００９】
本発明の第３の態様は、上記第１のまたは第２の態様において、前記手提げ用ハンドルは、その回動範囲の中において更に第２の姿勢で停止可能に設けられており、前記記録装置の背面下部には、インクカートリッジ挿脱用の開口部を覆うカバー体が、前記記録装置を側視して回動自在に取り付けられており、前記手提げ用ハンドルの前記第２の姿勢が、前記把持部が前記カバー体の回動領域の上方に位置する姿勢であることを特徴とする。
【００１０】
上記態様によれば、記録装置の背面下部に、インクカートリッジ挿脱用の開口部を覆うカバー体が、記録装置を側視して回動自在に取り付けられているが、ハンドルは、前記把持部が前記カバー体の回動領域の上方に位置する第２の姿勢で停止可能であるので、手提げ用ハンドルがその自重によって回動した場合でも、把持部が前記カバー体の回動領域内に入る前に停止する。つまり、回動自在な手提げ用ハンドルが、記録装置の構成要素である前記カバー体の回動領域と干渉することを未然に防止することができ、前記カバー体の開閉操作即ちインクカートリッジの挿脱操作を妨げることがない。
【００１１】
本発明の第４の態様は、被記録媒体に記録を行う記録手段を備えた記録装置であって、把持部及び当該把持部から前記記録装置の本体に延びる腕部を備えて構成された手提げ用ハンドルが、前記把持部が前記記録装置の上部と後部とを往復可能なように前記記録装置を側視して回動自在に、且つその回動範囲の中における第２の姿勢で停止可能に設けられており、前記記録装置の背面下部に、インクカートリッジ挿脱用の開口部を覆うカバー体が、前記記録装置を側視して回動自在に取り付けられており、前記手提げ用ハンドルの前記第２の姿勢が、前記把持部が前記カバー体の回動領域の上方に位置する姿勢であることを特徴とする。
【００１２】
上記態様によれば、記録装置の背面下部に、インクカートリッジ挿脱用の開口部を覆うカバー体が、記録装置を側視して回動自在に取り付けられているが、ハンドルは、前記把持部が前記カバー体の回動領域の上方に位置する第２の姿勢で停止可能であるので、手提げ用ハンドルがその自重によって回動した場合でも、把持部が前記カバー体の回動領域内に入る前に停止する。つまり、回動自在な手提げ用ハンドルが、記録装置の構成要素である前記カバー体と干渉することを未然に防止することができ、前記カバー体の開閉操作即ちインクカートリッジの挿脱操作を妨げることがない。
【００１３】
本発明の第５の態様は、上記第１から第４の態様のいずれかにおいて、前記記録装置の上面の一部を構成するとともに前記記録装置の各種情報を表示する表示部が、前記記録装置を側視して回動自在に設けられており、前記腕部が、前記把持部が前記表示部の回動領域の外側を回動する長さに形成されていることを特徴とする。  
本態様によれば、前記記録装置の上面の一部を構成するとともに前記記録装置の各種情報を表示する表示部が、前記記録装置を側視して回動自在に設けられており、前記腕部が、前記把持部が前記表示部の回動領域の外側を回動する長さに形成されていることから、前記手提げ用ハンドルが前記表示部の回動領域と干渉せず、従って前記手提げ用ハンドルを回動させる前に前記表示部を収納するといった手順を踏む必要が無く、ユーザフレンドリであるとともに、前記手提げ用ハンドルによって前記表示部を破損させる虞が無い。
【００１４】
本発明の第６の態様は、上記第１から第５の態様のいずれかにおいて、前記手提げ用ハンドルが、前記腕部が前記記録装置の本体から上方にほぼ垂直に延びる立位姿勢で保持可能に設けられていることを特徴とする。
【００１５】
本体様によれば、前記手提げ用ハンドルが、前記腕部が前記記録装置の本体から上方にほぼ垂直に延びる立位姿勢で保持可能に設けられていることから、記録装置を運搬する際にも記録装置の本体が不安定に揺動することがなく、安定して運搬できるとともに、記録装置の本体の姿勢が傾くことによって発生する、インクの流出等の不具合を防止することができる。
【００１６】
本発明の第７の態様は、上記第１から第６の態様のいずれかにおいて、前記手提げ用ハンドルが、把持部が前記記録装置の背面下部と対向する位置まで回動可能に設けられていることを特徴とする。  
本体様によれば、前記手提げ用ハンドルが、把持部が前記記録装置の背面下部と対向する位置まで回動可能に設けられているので、前記手提げ用ハンドルの非使用時（前記記録装置の運搬に利用しない時）において前記手提げ用ハンドルが費やすスペースを最小限に抑えることができる。
【発明を実施するための最良の形態】
【００１７】
以下、本発明の一実施形態について説明する。以下では先ず、本発明の一実施形態に係る「記録装置」の一例としてのインクジェットプリンタ（以下「プリンタ」と略称する）１００の全体構成について図１乃至図３を参照しながら説明する。ここで、図１はプリンタ１００の外観斜視図、図２はプリンタ１００を後方から見た図、図３はプリンタ１００の用紙搬送経路の側断面図である。
【００１８】
プリンタ１００は、「被記録媒体」の一例としての比較的サイズの小さいハガキ、Ｌ判サイズ等の記録用紙への記録に適するように、且つ、運搬の容易性を考慮して小型サイズに構成されたものである。  
このプリンタ１００は、プリンタ本体の後部に、積重された複数枚の記録用紙を傾斜姿勢に支持する被記録媒体給送手段（以下「給送装置」と言う）１を備え、プリンタ本体の前部には、記録の行われた記録用紙をスタックするスタッカ５０が、図１に示す様に略垂直に立設された収納状態と、プリンタ前方側に開いて記録用紙をスタック可能な使用状態（図示せず）とを切り換え可能に設けられている。
【００１９】
プリンタ１００の上面中央には、電源ボタン、印刷設定ボタン等によって構成された操作部３１と、印刷設定内容や現在の動作ステータス等を表示する表示部３０が配置され、プリンタ本体の前部右側には、画像データ等が記憶された半導体メモリ媒体を装着可能なカードスロット（図示せず）を覆う開閉自在なカバー６１が設けられている。即ち、プリンタ１００は、外部のホスト・コンピュータと接続して印刷データを受信するのみならず、画像データを記憶した半導体メモリから直接画像データを読み込み、そして印刷用のデータを生成して自ら印刷実行可能に構成された所謂スタンドアロンプリンタである。
【００２０】
一方、プリンタ本体背面には、図２に示すようにプリンタ本体底部に設けられる、薄い箱状体を成すインクカートリッジ４７を挿脱する為の開口部４５が形成されているとともに、当該開口部４５を覆うカバー体４７が、プリンタ１００を側視して回動自在に取り付けられている（図４参照）。
【００２１】
図１に戻って、プリンタ１００の外観を構成するハウジングは、複数の部材によって構成され、図１にはその中で上部パネル５１と、ハウジング左５３と、ハウジング右５５と、サイドパネル右５９と、が示されている。そして、ハウジング左５３とハウジング右５５とには、把持部３７と、把持部３７の両端からプリンタ本体に向かってＬ字状に延びる腕部４１とを備えて構成された手提げ用ハンドル（以下「ハンドル」と略称する）３５が、プリンタ本体を側視して回動自在に取り付けられていて（図４参照）、これによってプリンタ１００を持ち運ぶ際にハンドル３５を把持すれば、プリンタ１００を容易に運搬することができるようになっている。
【００２２】
尚、プリンタ１００のハウジング構造は、上下に分割された装置本体をハウジング左５３とハウジング右５５とでキャップするようになっており、従ってハンドル５５によってプリンタ１００を持ち運ぶ場合でも、装置本体が上下に分離する様なこともなく、運搬の際の安全性（即ちハウジングの機械的強度）が向上している。
【００２３】
続いて、プリンタ１００の内部構成について説明する。プリンタ１００には、記録用紙Ｐに記録を行う記録手段の主たる構成要素として、主走査方向（図３の紙面表裏方向）に往復可能にキャリッジガイド軸１２によって軸支されたキャリッジ１０が設けられている。そして、該キャリッジ１０には記録用紙Ｐにインクを吐出して記録を行なう記録ヘッド１３が搭載されている。
【００２４】
記録ヘッド１３の下方には、記録ヘッド１３と対向して記録ヘッド１３のヘッド面と記録用紙Ｐとの間のギャップを規定するプラテン２８が設けられている。そしてキャリッジ１０とプラテン２８との間に記録用紙Ｐを主走査方向と直交する副走査方向（図３の左右方向）に所定の搬送量で搬送する動作と、記録ヘッド１３を主走査方向に一往復させる間に記録ヘッド１３から記録用紙Ｐにインクを噴射する動作とを交互に繰り返すことによって記録用紙Ｐに記録が行われる。
【００２５】
次に、記録用紙Ｐの搬送経路に従ってプリンタ１００の構成を更に詳しく説明する。先ず最も搬送方向上流側に記録用紙Ｐを積重する「支持部材」としてのホッパ１６が、給送装置１の基体を構成するフレーム５に揺動可能に設けられている。ホッパ１６上の記録用紙Ｐは給送用ローラ１４の回転軸１７の回転に伴って、ホッパ１６が所定のタイミングで上昇し、給送用ローラ１４に向けて押し上げられる。  
これら給送用ローラ１４、ホッパ１６等を含む給送装置１は、給送用ローラ１４の回転に伴って最上位に位置する記録用紙Ｐから順番に、給送用ローラ１４近傍に設けられる分離パッド７によって次位以降の記録用紙Ｐから分離しつつ、１枚ずつピックアップし、されて搬送方向下流に向かって給送する。
【００２６】
ここで、給送装置１は、図３の仮想線と実線との関係で示す様にホッパ１６を含む、フレーム５を基体とする装置（ユニット）そのものが回動自在に設けられ、実線で示す使用状態では後方に張り出す様な傾斜姿勢となる。一方、仮想線で示す収納状態においては、記録用紙Ｐを挿入する為の開口６５が塞がれて塵埃等の進入を防止可能となっている。そして当該収納状態では、給送装置１は後方に張り出さず、プリンタ１００のコンパクト化及び外観の向上が図られる様になっている。
【００２７】
続いて、給送用ローラ１４の下流には、記録用紙Ｐの通過を検出する被記録媒体検出手段（図示せず）が設けられており、その下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、かつ図示しないねじりコイルばねによって搬送用従動ローラ１９ｂが常に搬送用駆動ローラ１９ａに圧接したニップ状態になるように回動付勢されている。
【００２８】
搬送用ローラ１９によって挟圧された状態で搬送される記録用紙Ｐは記録ヘッド１３の下方の記録ポジション２６に導かれ、上述のキャリッジ１０及び搬送用ローラ１９の動作によって記録用紙Ｐに所望の記録が実行される。記録ヘッド１３とその下方において、これと対向して設けられるプラテン２８とのギャップは高精度の記録を実行する上で極めて重要な要素となっており、記録用紙Ｐの厚さの変化に応じて適宜調節されるようになっている。
【００２９】
記録ヘッド１３の下流には排出用駆動ローラ２０ａと、排出用歯付きローラ２０ｂとによって構成される排出用ローラ２０が設けられ、この排出用ローラ２０によって排出された記録用紙Ｐは更に下流に位置する排出用スタッカ５０上に排出されるようになっている。尚、排出用歯付きローラ２０ｂは、その外周に複数の歯を有する歯付きローラであり、排出用歯付きローラ用の図示しないローラホルダによって自由回転可能に軸支されている。排出用歯付きローラ２０ｂの上流には補助歯付きローラ２２が設けられ、当該補助歯付きローラ２２によって記録用紙Ｐのプラテン２８からの浮き上がりが防止され、適切な記録品質が維持されるようになっている。
【００３０】
以上がプリンタ１００の大略構成であり、以下、更に図４乃至図１１を参照しながら、ハンドル３５について詳説する。ここで、図４はプリンタ１００の側面図、図５乃至図８において（Ａ）はプリンタ１００の斜視図、（Ｂ）は（Ａ）に対応するプリンタ１００の側面図である。また、図９はハウジング左５３、サイドプレート左５７、ハンドル３５の分解斜視図、図１０（Ａ）は回動回動軸４３の斜視図、図１０（Ｂ）は穴５３ａ及びその周囲の平面図、図１１は軸受部５３ｂ近傍の断面図である。
【００３１】
ハンドル３５は、図９に示すように把持部３７と、把持部３７の両端からプリンタ本体へＬ字状に延びる腕部４１、４１と、腕部４１の先端においてプリンタ１００の幅方向に平行な軸線を成すように、且つ内側に向かって突出するように形成される回動軸４３、４３とを備えて構成されている。
【００３２】
このハンドル３５は、ハウジング左５３及びハウジング右５５に形成された穴（ハウジング左５３の穴は、図９において符号５３ａで示される）を、回動軸４３、４３がハウジング左５３及びハウジング右５５の外側から内側にそれぞれ挿入されることで、プリンタ１００を側視して回動自在に取り付けられる。即ち、ハンドル３５は、ハウジング左５３及びハウジング右５５によって軸支される状態となる。以下、図９乃至図１１を参照しながらハウジング左５３の側を説明するが、ハウジング右５５の側も、図９乃至図１１に示す構造と同様な構造となっている。
【００３３】
図９に示すように、ハウジング左５３に対してスナップ嵌め式に着脱自在に取り付けられるサイドプレート左５７には、回動軸４３を挿通させる穴５７ａが形成され、ハウジング左５３には、回動軸４３を挿通させる穴５３ａが形成されるとともに軸受部５３ｂが形成されている。この軸受部５３ｂは、サイドプレート左５７に形成された穴５７ａを貫通する様に外側に突出するフランジ形状を成し、その突出したフランジ形状が穴５７ａにちょうど嵌合する様になっている。
【００３４】
回動軸４３には、図１０（Ａ）に示すように回動軸４３の軸線方向と直交する方向に突出する様な係止片４３ａ、４３ｂが形成されるとともに、係止片４３ｂには、回動軸４３の突出方向（内側）とは反対（外側）に突出する突起４３ｃが形成されている。一方で穴５３ａは、図１０（Ｂ）に示す様に回動軸４３の係止片４３ａ、４３ｂの形状がちょうど嵌まるような形状をなしていて、回動軸４３が一旦穴５３ａに挿入され、そして回動すると、係止片４３ａ、４３ｂが穴５３ａの周縁に係止することで、回動軸４３が穴５３ａから抜け落ちない様になっている。尚、図１０（Ｂ）はハウジング左５３の内側から穴５３ａを見た図であり、符号５３ｄは、ハウジング左５３の内側面を示している。
【００３５】
次に穴５３ａの周囲には、凹部５３ｅ、５３ｆ、５３ｇ、５３ｈが形成されている。凹部５３ｅ〜５３ｈは、回動軸４３に形成された突起４３ｃが嵌入する穴であり、即ち例えば図１１に示すように突起４３ｃが、係止片４３ｂの弾性変形に伴って凹部５３ｅに嵌まり込むことで、ハンドル３５がその回動可能な範囲の中で所定の姿勢を保持される（停止する）ようになっている。即ち、ハンドル３５が、この様に突起４３ｃと凹部５３ｅ〜５３ｈとを備えて構成された姿勢保持手段によって、その自重によって回動しないように停止した状態となる（詳細は後述）。
【００３６】
以上のように構成されたハンドル３５の取付構造が奏する作用効果の１つとしては、以下が挙げられる。即ち、ハンドル３５を把持することによりプリンタ１００が持ち上げられると、プリンタ１００の自重は軸受部５３ｂに集中することから、持ち運びの際に軸受部５３ｂが破損したり、或いはハンドル３５側の回動軸４３が破損したりする虞がある。しかし、上述の様な構成によれば、軸受部５３ｂのフランジ形状によってハンドル３５と軸受部５３ｂとの間の接触面積が増加し、従って両者の間に作用する荷重が分散されるので、応力集中が起きず、回動軸４３及び、軸受部５３ｂの破損を防止することができる。
【００３７】
また、図９及び図１１に示すようにサイドプレート左５７をハウジング左５３にスナップ嵌め式に取り付ける為のスナップ嵌め部を構成する、サイドプレート左５７に形成された係止片５７ｂと、ハウジング左５３に形成された穴５３ｃとによって、サイドプレート左５７は上方へのズレを生じない様にハウジング左５３に取り付けられる構成となっているので、プリンタ１００がハンドル３５を介して持ち上げられた際に、軸受部５３ｂは穴５７ａ即ちサイドプレート左５７によってサポートされるので、軸受部５３ｂに荷重が加わっても当該荷重の一部をサイドプレート左５７が担うこととなり、軸受部５３ｂの強度がより一層向上して破損等の発生を防止することが可能となる。
【００３８】
続いて、ハンドル３５の回動動作と、当該ハンドル３５の回動動作に関連するプリンタ１００の各構成要素との関係について説明する。  
図４に示すように、ハンドル３５は把持部３７がプリンタ１００の上部と後部とを往復可能なように、回動範囲Ｄを回動可能となっているとともに、上述した姿勢保持手段によって、把持部３７が実線で示す位置（ハンドル３５が略垂直に立った状態）と、仮想線とともに符号３７ａ、３７ｂ、３７ｃで示すそれぞれの位置で保持される（停止する）ようになっている。
【００３９】
尚、以下では、把持部３７が符号３７ａの位置にあるときのハンドル３５の姿勢を「第１の姿勢」と言い、以下同様に符号３７ｂの場合を「第２の姿勢」、符号３７ｃの場合を「第３の姿勢」と言う。また、把持部３７が図４の実線で示す位置にあるときのハンドル３５の姿勢を「立位姿勢」と言う。尚、図５はハンドル３５が立位姿勢をとる状態を示しており、図６は第１の姿勢を、図７は第２の姿勢を、図８は第３の姿勢をとる状態を示している。
【００４０】
次に、給送装置１は、既に述べた如く収納状態と使用状態とを切り換え可能なように、揺動範囲Ｂを揺動可能となっていて、使用状態では、図４の仮想線及び符号１で示すようにプリンタ本体後方に突出した状態となる。尚、符号６９は給送装置１に対して引き出し可能に設けられたペーパーサポートであり、ホッパ１６とともに積重された複数枚の記録用紙Ｐを傾斜姿勢に支持する「支持部材」としての機能を果たす。
【００４１】
ここで、図４から明かなように、給送装置１は使用状態において、傾斜姿勢に支持された最上位の記録用紙Ｐに把持部３７が上方から当接しうる位置に設けられている。即ち、ハンドル３５を立位姿勢から後方側にある程度回動させると、その後はハンドル３５は自重によって回動し、何らの姿勢保持手段が無い場合にはやがて把持部３７が傾斜姿勢に支持された記録用紙Ｐに載置された状態（把持部３７と、最上位の記録用紙Ｐとが接触した状態）となり得る。しかし、把持部３７は本実施形態では把持性を向上させる為に高摩擦材料（例えば、ゴム材）によって形成されているので、上記のように把持部３７が最上位の記録用紙Ｐに載置された状態となると、当該最上位の記録用紙Ｐは把持部３７との間の大きな摩擦力によって大きな給送負荷を受け、その結果給紙不良（不送り）が発生することになる。
【００４２】
しかし、ハンドル３５は、自重で回動した場合でも、図６に示すように第１の姿勢で停止する（保持される）。この第１の姿勢は、把持部３７が給送装置２に支持された最上位の記録用紙Ｐに接しないよう、把持部３７がペーパーサポート６９及びホッパ１６（即ち給送装置１）に対して所定間隔を空けて上方に位置する状態を形成する姿勢であるので、ハンドル３５がその自重によって回動した場合でも、把持部３７が記録用紙Ｐに上から当接する前に停止する。従ってこれにより、把持部３７が最上位の記録用紙Ｐと接することによる給送不良（不送り）を防止することができる。
【００４３】
次に、プリンタ本体の背面下部には、インクカートリッジ４７挿脱用の開口部を覆うカバー体６７が、プリンタ本体を側視して回動範囲Ｃを回動自在に取り付けられていて、ハンドル３５は、自重で下方に回動した場合でも図７に示すように第２の姿勢で停止する（保持される）。この第２の姿勢は、把持部３７がカバー体６７の回動領域の上方に位置する状態を形成する姿勢であるので、ハンドル３５がその自重によって回動した場合でも、把持部３７がカバー体６７の回動領域内に入る前に停止する。従ってこれにより、カバー体６７の開閉操作即ちインクカートリッジ４７の挿脱操作を妨げることがないようになっている。
【００４４】
尚、第２の姿勢に保持されたハンドル３５に上方から力を加えると、ハンドル３５は図８に示すような第３の姿勢をとり、当該第３の姿勢をとった状態でそれ以上の回動が規制されるようになっている。また、ハンドル３５は、図５に示す立位姿勢から、更にプリンタ本体前方側に倒れる方向には回動できないように規制されている。ここで、ハンドル３５は立位姿勢においても保持されるので、ハンドル３５を把持してプリンタ１００を運搬する際にもプリンタ本体が不安定に揺動することがなく、安定して運搬できるとともに、プリンタ本体の姿勢が傾くことによって発生する、インクの流出等の不具合を防止することができる。
【００４５】
また、ハンドル３５は、図４及び図８に示すように第３の姿勢において把持部３７がプリンタ本体の背面下部と対向する位置（ハンドル３５の第３の姿勢）まで回動可能に設けられているので、ハンドル３５の非使用時（プリンタ本体の運搬に利用しない時）においてハンドル３５が費やすスペースを最小限に抑えることができる。
【００４６】
次に、図４に示すように、プリンタ１００の上面を構成する表示部３０は揺動範囲Ａを揺動可能に設けられていて、これにより、表示部３０の視認性が向上している。そして、ハンドル３５の腕部４１が、把持部３７が表示部３０の回動領域の外側を回動する長さに形成されている（延設されている）ので、ハンドル３５を回動させる前に先ず表示部３０を収納するといった手順を踏む必要がなく、ユーザフレンドリであるとともに、ハンドル３５によって表示部３０を破損させる虞もない。
【００４７】
以上説明した実施形態では、ハンドル３５は立位姿勢、そして第１〜第３の姿勢で保持されるようになっているが、例えば第１の姿勢でのみ保持されるように構成されていれば、給送装置１との関係ではハンドル３５が給紙不良（不送り）を招くことがない。また、第２の姿勢でのみ保持されるように構成されていれば、カバー体６７との関係ではインクカートリッジ４６の着脱作業を阻害することがない。
【００４８】
尚、以上では本発明をインクジェットプリンタに適用した例で説明したが、インクジェットプリンタ以外の記録装置をはじめ、被噴射媒体に液体噴射を行う液体噴射ヘッドを備えた液体噴射装置に適用可能であることは言うまでも無い。ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。
【００４９】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【図面の簡単な説明】
【００５０】
【図１】本発明に係るプリンタの外観斜視図。
【図２】本発明に係るプリンタを後方から見た図。
【図３】本発明に係るプリンタの側断面図。
【図４】本発明に係るプリンタの側面図。
【図５】（Ａ）は本発明に係るプリンタの斜視図、（Ｂ）は（Ａ）に対応する側面図。
【図６】（Ａ）は本発明に係るプリンタの斜視図、（Ｂ）は（Ａ）に対応する側面図。
【図７】（Ａ）は本発明に係るプリンタの斜視図、（Ｂ）は（Ａ）に対応する側面図。
【図８】（Ａ）は本発明に係るプリンタの斜視図、（Ｂ）は（Ａ）に対応する側面図。
【図９】ハウジング左、サイドプレート左、手提げ用ハンドルの分解斜視図。
【図１０】（Ａ）は回動軸の斜視図、（Ｂ）は穴及びその周囲の平面図。
【図１１】軸受部近傍の断面図。
【符号の説明】
【００５１】
１  被記録媒体給送装置、５  フレーム、７  分離パッド、１０  キャリッジ、１２  キャリッジガイド軸、１３  記録ヘッド、１４  給送用ローラ、１５  エッジガイド、１６  ホッパ、１７  回転軸、１８  ローラホルダ（搬送用従動ローラの）、１９  搬送用ローラ、１９ａ  搬送用駆動ローラ、１９ｂ  搬送用従動ローラ、２０  排出用ローラ、２０ａ  排出用駆動ローラ、２０ｂ  排出用歯付きローラ、２２  補助歯付きローラ、２６  記録ポジション、２８  プラテン、３０  表示部、３１  操作部、３３  戻しレバー、３５  手提げ用ハンドル３５  把持部、４１  腕部、４３  回動軸、４５  開口部、４７  インクカートリッジ、５０  排出用スタッカ、５１  上部パネル、５３  ハウジング左、５５  ハウジング右、５７  サイドパネル左、５９  サイドパネル右、６１  カードスロットカバー、６５  開口、６７  カバー体、６９  ペーパーサポート、１００  インクジェットプリンタ、  Ｐ  記録用紙
【図１】
2006240081.tif 000003
【図２】
2006240081.tif 000004
【図３】
2006240081.tif 000005
【図４】
2006240081.tif 000006
【図５】
2006240081.tif 000007
【図６】
2006240081.tif 000008
【図７】
2006240081.tif 000009
【図８】
2006240081.tif 000010
【図９】
2006240081.tif 000011
【図１０】
2006240081.tif 000012
【図１１】
2006240081.tif 000013